(57)【特許請求の範囲】
【請求項１】
給湯燃焼を行う燃焼手段と、給湯配管系が設けられ、前記燃焼手段によって加熱される１次熱交換器と、前記給湯配管系が設けられ、前記燃焼手段による給湯燃焼に伴い発生した排気ガスの有する潜熱を回収する２次熱交換器と、を備えた給湯装置と、
前記給湯装置を介して湯が供給される浴槽と、
前記給湯装置とは独立して前記浴槽の外部近傍に設けられ、前記２次熱交換器による潜熱の回収のときに発生するドレンを中和する中和剤を収容する中和器と、
前記浴槽の外部側面に対向して設置される着脱可能なエプロンと、を備え、
前記中和器は、
前記エプロンが対向して設置される前記浴槽の外部側面に、前記中和剤の補充が可能な状態で取り付けられていることを特徴とする給湯システム。
【請求項２】
給湯燃焼を行う燃焼手段と、給湯配管系が設けられ、前記燃焼手段によって加熱される１次熱交換器と、前記給湯配管系が設けられ、前記燃焼手段による給湯燃焼に伴い発生した排気ガスの有する潜熱を回収する２次熱交換器と、を備えた給湯装置と、
前記給湯装置を介して湯が供給される浴槽と、
前記給湯装置とは独立して前記浴槽の外部近傍に設けられ、前記２次熱交換器による潜熱の回収のときに発生するドレンを中和する中和剤を収容する中和器と、
前記浴槽の外部に近接して設置される着脱可能なシャワーカウンタと、を備え、
前記中和器は、
前記シャワーカウンタの内側と前記浴槽の外部側面との間に配設されるとともに、前記シャワーカウンタの内側に、前記中和剤の補充が可能な状態で取り付けられている
ことを特徴とする給湯システム。
【発明の詳細な説明】
【技術分野】
【０００１】
本発明は、潜熱回収型の給湯装置と浴槽とを有する給湯システムに関するものである。
【背景技術】
【０００２】
給湯装置には、設置方法の種類により、例えば屋外据置型、屋外設置型、壁貫通型などが存在する。
【０００３】
例えば、壁貫通型の給湯装置（ふろ給湯装置）では、設置される浴槽と対向する当該浴室内の所定の壁を所定の開口をもって貫通させ、この開口部および当該壁の外側のスペースにより得られる設置スペースに取り付けられるようになっている（例えば、特許文献１参照）。
【０００４】
このような壁貫通型給湯装置を設置することにより、同一の浴室内において広い浴槽を設置することが可能となる。
【特許文献１】特開平１０−２２０７３１号公報
【発明の開示】
【発明が解決しようとする課題】
【０００５】
ところで、給湯装置としては、風呂の追い焚き燃焼と給湯燃焼とによって加熱される１次熱交換器に加えて、この１次熱交換器を通過した排気ガスの有する潜熱を回収する潜熱回収用熱交換器つまり２次熱交換器を備えた給湯装置（例えば一缶二水路給湯装置）を採用する方が、熱効率の向上の観点から好ましい。
【０００６】
このような潜熱回収型の給湯装置は、潜熱回収時に発生するドレン（酸性のドレン）を中和する中和剤を収容する中和器を備えている。すなわち、潜熱回収時に発生した酸性のドレンは、中和器によって中和処理された後に排出されるようになっている。
【０００７】
なお、中和器内に収容された中和剤は、給湯装置の使用年数とともに減少するので（つまり消耗品なので）、補充する必要がある。
【０００８】
ここで、潜熱回収型の給湯装置を上記従来の壁貫通型給湯装置（ふろ給湯装置）に適用するようにした場合では、バーナや１次熱交換器に加えて、上述した２次熱交換器および中和器を備えた給湯装置を壁に形成された開口部に挿通するようして取り付けなければならない。
【０００９】
しかも、中和器内への中和剤の補充に際しては、例えば、浴槽の移動、壁に取り付けられた給湯装置の取り外し、給湯装置のケースの取り外し、などの各種の作業工程を経た後、中和剤の補充を実施しなければならず、ユーザが中和剤の補充を実施するのは極めて困難である。
【００１０】
また、給湯装置のメンテナンスを行う保守要員が、中和器内への中和剤の補充を実施する場合でも、上述した各種の作業工程を実施した後、中和剤を補充する必要があり、このようにして中和剤の補充が終了した後は、給湯装置のケースの取り付け、給湯装置の取り付け、浴槽の元の位置への移動など、各種の作業工程を実施しなければならず、中和剤補充の作業効率が極めて悪くなるという問題が発生する。
【００１１】
そこで、本発明は、潜熱回収時に発生するドレンを中和する中和剤の中和器への補充作業を容易に行うことのできる給湯システムを提供することを目的とする。
【課題を解決するための手段】
【００１２】
上記課題を解決するため、請求項１に記載の本発明の給湯システムは、給湯燃焼を行う燃焼手段と、給湯配管系が設けられ、前記燃焼手段によって加熱される１次熱交換器と、前記給湯配管系が設けられ、前記燃焼手段による給湯燃焼に伴い発生した排気ガスの有する潜熱を回収する２次熱交換器と、を備えた給湯装置と、前記給湯装置を介して湯が供給される浴槽と、前記給湯装置とは独立して前記浴槽の外部近傍に設けられ、前記２次熱交換器による潜熱の回収のときに発生するドレンを中和する中和剤を収容する中和器と、前記浴槽の外部側面に対向して設置される着脱可能なエプロンと、を備え、前記中和器は、前記エプロンが対向して設置される前記浴槽の外部側面に、前記中和剤の補充が可能な状態で取り付けられていることを特徴とする。
【００１３】
このように、中和器を潜熱回収型の給湯装置とは独立して浴槽の外部近傍に設けるようにしているので、中和器への中和剤の補充に際しては、ユーザまたは保守要員は給湯装置に関与することなく、中和器への中和剤の補充作業を実施することができ、これにより潜熱回収時に発生するドレンを中和する中和剤の中和器への補充作業を容易に行うことができる。
また、中和器を着脱可能なエプロンと浴槽の外部側面との間に配設するようにしているので、中和器への中和剤の補充に際しては、ユーザまたは保守要員は給湯装置に関与することなく、浴槽に装着されているエプロンを取り外して中和器への中和剤の補充を行い、その後、エプロンを浴槽の外部側面に装着することにより、一連の作業を終了することができ、これにより潜熱回収時に発生するドレンを中和する中和剤の中和器への補充作業をより一層容易に行うことができる。
さらに、中和器が中和剤の補充が可能な状態で浴槽の外部側面に取り付けられるようになっているので、浴槽の外部周囲のスペース（空きスペース）を有効に利用することができ、しかも中和剤の補充が可能な状態で取り付けられている中和器に対しては、中和器への中和剤の補充作業をより一層容易に行うことができる。
【００２０】
請求項２に記載の本発明の給湯システムは、給湯燃焼を行う燃焼手段と、給湯配管系が設けられ、前記燃焼手段によって加熱される１次熱交換器と、前記給湯配管系が設けられ、前記燃焼手段による給湯燃焼に伴い発生した排気ガスの有する潜熱を回収する２次熱交換器と、を備えた給湯装置と、前記給湯装置を介して湯が供給される浴槽と、前記給湯装置とは独立して前記浴槽の外部近傍に設けられ、前記２次熱交換器による潜熱の回収のときに発生するドレンを中和する中和剤を収容する中和器と、前記浴槽の外部に近接して設置される着脱可能なシャワーカウンタと、を備え、前記中和器は、前記シャワーカウンタの内側と前記浴槽の外部側面との間に配設されるとともに、前記シャワーカウンタの内側に、前記中和剤の補充が可能な状態で取り付けられていることを特徴とする。
【００２１】
このように、中和器を潜熱回収型の給湯装置とは独立して浴槽の外部近傍に設けるようにしているので、中和器への中和剤の補充に際しては、ユーザまたは保守要員は給湯装置に関与することなく、中和器への中和剤の補充作業を実施することができ、これにより潜熱回収時に発生するドレンを中和する中和剤の中和器への補充作業を容易に行うことができる。
また、中和器を着脱可能なシャワーカウンタの内側と浴槽の外部側面との間に配設するようにしているので、中和器への中和剤の補充に際しては、ユーザまたは保守要員は給湯装置に関与することなく、浴槽に装着されているシャワーカウンタを取り外して中和器への中和剤の補充を行い、その後、シャワーカウンタを浴槽の外部側面に装着することにより、一連の作業を終了することができ、これにより潜熱回収時に発生するドレンを中和する中和剤の中和器への補充作業をより一層容易に行うことができる。
さらに、中和器が中和剤の補充が可能な状態でシャワーカウンタの内側に取り付けられるようになっているので、シャワーカウンタの内側のスペース（空きスペース）を有効に利用することができ、しかも中和剤の補充が可能な状態で取り付けられている中和器に対しては、中和器への中和剤の補充作業をより一層容易に行うことができる。
【発明の効果】
【００２２】
本発明によれば、中和器を潜熱回収型の給湯装置とは独立して浴槽の外部近傍に設けるようにしているので、中和器への中和剤の補充に際しては、ユーザまたは保守要員は給湯装置に関与することなく、中和器への中和剤の補充作業を実施することができ、これにより潜熱回収時に発生するドレンを中和する中和剤の中和器への補充作業を容易に行うことができるという有効な効果を奏する。
【発明を実施するための最良の形態】
【００２３】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２４】
（実施の形態１）
【００２５】
図１は本発明の実施の形態１である給湯システムの概略構成を示す模式図、図２は図１に示した給湯システムで用いられる中和器の設置態様の一例を示す図である。
【００２６】
図１に示すように、給湯システムは、給湯装置１、浴槽２０および中和器３０を備えている。
【００２７】
潜熱回収型の給湯装置１は燃焼室１０を有しており、燃焼室１０には、バーナ１１、１次熱交換器１２、２次熱交換器１３、および受け皿１４が設けられている。
【００２８】
バーナ１１は給湯燃焼を行うとともに追い焚き燃焼を行う燃焼手段の機能を果たすものであり、ガス配管１１ａが接続されている。ガス配管１１ａにはガス開閉弁１１ｂが設けられている。なお、バーナ１１の下方側には、このバーナ１１に燃焼用空気を供給する図示しない燃焼ファンが配置されている。
【００２９】
１次熱交換器１２は複数のフィン１２ａを有し、これらのフィン１２ａに給湯配管２（給湯配管系）および追い焚き配管３が密着して設けられている。１次熱交換器１２は、バーナ１１の燃焼によって加熱される。
【００３０】
２次熱交換器１３は複数のフィン１３ａを有し、バーナ１１に対し１次熱交換器１２の配設位置よりも離れた位置に配設されている。これらのフィン１３ａに給湯配管２が密着して設けられている。２次熱交換器１３は、バーナ１１による給湯燃焼に係る潜熱つまり１次熱交換器１２を通過した排気ガスの潜熱を回収する。なお、２次熱交換器１３においては、複数のフィン１３ａは無くてもよい。
【００３１】
このようにして潜熱回収された後の排気ガスは、燃焼室１０における２次熱交換器１３よりも上部側に設けられた排気口１０ａから外部へ排気されるようになっている。
【００３２】
受け皿１４は、１次熱交換器１２と２次熱交換器１３との間に介在し、２次熱交換器１３による潜熱の回収のときに発生する酸性のドレンを受ける（回収する）ものである。
【００３３】
このような受け皿１４と中和器３０とはドレン配管１５で接続されており、受け皿１４によって回収されたドレンは、ドレン配管１５を介して中和器３０に流入する。
【００３４】
給湯配管（給湯配管系）２は、入口側配管２ａに給水された水が、２次熱交換器１３を経由し、次に１次熱交換器１２を経由して出口側配管２ｂから流出されるように配設されている。
【００３５】
入口側配管２ａと出口側配管２ｂとの間にはバイパス通路４が設けられている。また、出口側配管２ｂには給湯栓（給水栓）５が設けられている。
【００３６】
追い焚き配管３は、浴槽２０の側壁に開口して延びる戻り管３ａおよび往き管３ｂから構成されている。戻り管３ａには循環ポンプ６が設置されている。
【００３７】
また、追い焚き配管３は、浴槽２０内の浴槽水（揚水）が、循環ポンプ６が回転駆動することで戻り管３ａから取り込まれて１次熱交換器１２を経由し、その後、行き管３ｂから再び浴槽２０へ戻る、ように構成されている。すなわち、浴槽２０、戻り管３ａおよび行き管３ｂで、浴槽２０内の浴槽水（揚水）を循環させるための循環路が形成される。
【００３８】
戻り管３ａには、浴槽２０の循環浴槽水（循環揚水）の温度を風呂温度（浴槽２０内の湯の温度）として検出するサーミスタ等の風呂温度センサ７が設けられている。
【００３９】
戻り管３ａにおける循環ポンプ６の下流側と給湯配管２の出口側配管２ｂとの間には、注湯管８が設けられている。注湯管８には図示しない制御手段により弁が開閉制御される注湯弁９が設けられている。
【００４０】
次に、中和器３０の設置態様の一例について図２を参照しながら説明する。
【００４１】
図２に示すように、中和器３０は、給湯装置１とは独立して浴槽２０の外部近傍に設けられ、２次熱交換器１３による潜熱の回収のときに発生するドレンを中和する中和剤を収容する。
【００４２】
中和器３０は、注入口（図示せず）を有し、この注入口から所定量の中和剤が注入（あるいは補充）され、その後、蓋（図示せず）が取り付けられるようになっている。
【００４３】
具体的には、中和器３０は、着脱可能なエプロン２１が対向して設置される浴槽２０の外部側面２０ａに、中和剤の補充が可能な状態で取り付けられている。すなわち、浴槽２０は、その外部側面２０ａに中和器３０を備えている。これは、外部側面２０ａとエプロン２１との間の空きスペースを有効利用していることになる。
【００４４】
そして、給湯装置１内の受け皿１４によって回収された酸性のドレンは、ドレン配管１５を介して中和器３０に流入し、中和器３０にて中和処理が施される。このようにして中和処理されたドレンは、浴槽２０の浴槽残水とともに浴槽残水排水口（図示せず）から排水されるようになっている。
【００４５】
ところで、中和器３０内の中和剤が給湯装置１の使用年数とともに減少して、無くなった場合あるいは残り僅かになった場合においては、給湯装置１を使用するユーザは、当該給湯装置１に関与することなく、浴槽２０に装着中のエプロン２１を取り外すとともに、中和器３０の蓋を開け、その後、中和器３０の注入口から所定の中和剤を補充することができる。中和剤の補充作業が終了した後は、中和器３０の注入口に蓋が取り付けら、さらに、エプロン２１が浴槽２０に装着される。
【００４６】
なお、本実施の形態１では、中和器３０は浴槽２０の外部側面２０ａに取り付けられる構成としているが、本発明はこれに限定されることなく、中和器３０を、エプロン２１と浴槽２０の外部側面２０ａとの間であって、例えば浴槽２０が設置される床（土台）に配設するようにしてもよい。
【００４７】
以上説明したように、実施の形態１によれば、次の（１）〜（３）の作用効果を期待することができる。
【００４８】
（１）中和器３０を潜熱回収型の給湯装置１とは独立して浴槽２０の外部近傍（外部側面２０ａ）に配設、具体的には、着脱可能なエプロン２１と浴槽２０の外部側面２０ａとの間に配設するようにしているので、中和器３０への中和剤の補充に際しては、ユーザまたは保守要員は給湯装置１に関与することなく、浴槽２０に装着されているエプロン２１を取り外して中和器３０への中和剤の補充を実施することができる。
【００４９】
（２）中和器３０は潜熱回収型の給湯装置１とは独立しているので、給湯装置１を中和器３０のサイズ分だけ小さくすることができ、給湯装置１の小型化（コンパクト化）を図ることができる。
【００５０】
（３）給湯装置１を適用した壁貫通型給湯装置（ふろ給湯装置）を取り付けて使用する場合であっても、当該壁貫通型給湯装置に関与することなく、中和器への中和剤の補充を容易に実施することができる。すなわち、中和器内への中和剤の補充に際しては、例えば、浴槽の移動、壁に取り付けられた給湯装置の取り外し、給湯装置のケースの取り外し、などの各種の作業工程を実施することなく、中和器への中和剤の補充を容易に実施することができる。
【００５１】
（実施の形態２）
【００５２】
図３は本発明の実施の形態２である給湯システムで用いられる中和器の設置態様の一例を示す図である。
【００５３】
実施の形態２の給湯システムは、図１に示した給湯システムと同様の構成になっているので、ここではその説明を省略する。
【００５４】
次に、実施の形態２における中和器３０の設置態様の一例について図３を参照しながら説明する。
【００５５】
なお、図３において、（ａ）は浴槽２０およびシャワーカウンタ４０を上面から見た概略図（上面図）、（ｂ）は浴槽２０およびシャワーカウンタ４０を図３（ａ）の矢印Ａの方向から見た概略図（右側面図）、（ｃ）はシャワーカウンタ４０を図３（ａ）の矢印Ｂの方向から見た概略図（正面図）である。
【００５６】
着脱可能なシャワーカウンタ４０は、図３（ａ）、（ｂ）に示すように、浴槽２０の外部に近接して配設（装着）されている。
【００５７】
中和器３０は、実施の形態１の中和器３０と同様の構成および機能を有しており、図３（ｂ）、（ｃ）に示すように、シャワーカウンタ４０の内側４０ａと浴槽２０の外部側面２０ａとの間に配設される。これは、シャワーカウンタ４０の内側４０ａと浴槽２０の外部側面２０ａとの間の空きスペースを有効利用していることになる。
【００５８】
具体的には、中和器３０は、図３（ｃ）に示すように、シャワーカウンタ４０の内側４０ａに、中和剤の補充が可能な状態で取り付けられている。
【００５９】
そして、給湯装置１内の受け皿１４によって回収された酸性のドレンは、ドレン配管１５を介して中和器３０に流入し、中和器３０にて中和処理が施される。このようにして中和処理されたドレンは、浴槽２０の浴槽残水を排水するための浴槽残水排水口（図示せず）とは異なる排水口、例えば浴室排水口（図示せず）から排水されるようになっている。
【００６０】
ところで、中和器３０内の中和剤が給湯装置１の使用年数とともに減少して、無くなった場合あるいは残り僅かになった場合においては、給湯装置１を使用するユーザは、浴槽２０に装着中のシャワーカウンタ４０を取り外すとともに、中和器３０の蓋を開け、その後、中和器３０の注入口から所定の中和剤を補充することができる。中和剤の補充作業が終了した後は、中和器３０の注入口に蓋が取り付けら、さらに、シャワーカウンタ４０が浴槽２０に装着される。
【００６１】
なお、本実施の形態２では、中和器３０はシャワーカウンタ４０の内側４０ａに取り付けられる構成としているが、本発明はこれに限定されることなく、中和器３０を、シャワーカウンタ４０の内側４０ａと浴槽２０の外部側面２０ａとの間であって、例えば浴槽２０が設置される床（土台）に配設するようにしてもよい。
【００６２】
以上説明したように、本実施の形態２によれば、中和器３０を潜熱回収型の給湯装置１とは独立して浴槽２０の外部近傍（外部側面２０ａ）に配設、具体的には、着脱可能なシャワーカウンタ４０の内側４０ａと浴槽２０の外部側面２０ａとの間に配設するようにしているので、中和器３０への中和剤の補充に際しては、ユーザまたは保守要員は給湯装置１に関与することなく、浴槽２０に装着されているシャワーカウンタ４０を取り外して中和器３０への中和剤の補充を実施することができる。
【００６３】
また、本実施の形態２においても、上記実施の形態１における項目（２）および項目（３）の作用効果と同様の作用効果を期待することができる。
【産業上の利用可能性】
【００６４】
本発明は、潜熱回収型の給湯装置と浴槽とを有する給湯システムを採用したシステム、例えば各種端末機（床暖房機、浴室暖房機など）に対して温水を循環させることで暖房および乾燥を行う機能を有するとともに、シャワーや台所などへの給湯、全自動風呂および追い焚きなどの機能を有する温水式給湯暖冷房システムに適用することができる。
【図面の簡単な説明】
【００６５】
【図１】本発明の実施の形態１である給湯システムの概略構成を示す模式図である。
【図２】図１に示した給湯システムで用いられる中和器の設置態様の一例を示す図である。
【図３】本発明の実施の形態２である給湯システムで用いられる中和器の設置態様の一例を示す図である。
【符号の説明】
【００６６】
１  給湯装置
２  給湯配管
２ａ  入口側配管
２ｂ  出口側配管
３  追い焚き配管
３ａ  戻り管
３ｂ  行き管
４  バイパス通路
５  給湯栓
６  循環ポンプ
７  温度センサ
８  注湯管
９  注湯弁
１０  燃焼室
１０ａ  排気口
１１  バーナ
１１ａ  ガス配管
１１ｂ  ガス開閉弁
１２  １次熱交換器
１２ａ  フィン
１３  ２次熱交換器
１３ａ  フィン
１４  受け皿
１５  ドレン配管
２０  浴槽
２０ａ  浴槽の外部側面
２１  エプロン
３０  中和器
４０  シャワーカウンタ
４０ａ  シャワーカウンタの内側
【図１】
0004777743.tif 000002
【図２】
0004777743.tif 000003
【図３】
0004777743.tif 000004